(57)【要約】【課題】電動工具用電池パックにおいて、外部から電動工具用電池パックに衝撃や振動を加わる場合でも、ケースに対する電池セルの相対的な動きを抑えれるようにする。【解決手段】セル保持部６３と収容区画部６１との当接間隔寸法が電池セル３３の円柱形状の外周面３３０の径寸法よりも小さく設定されている。セル保持部６３は、電池セル３３の円柱形状の外周面３３０を把持するように当接する。これらセル保持部６３と収容区画部６１との当接間隔寸法は、電池セル３３を保持させる際には拡がり、電池セル３３を保持した際には電池セル３３を押さえる。セルホルダ５０には電池セル３３を収容するための挿入を案内するための収容区画部６１が設けられている。【選択図】図８
2014203660.tif 000002
【特許請求の範囲】
【請求項１】
電動工具の電源として該電動工具の工具本体に着脱可能にされる電動工具用電池パックであって、
ケースと、円柱形状をなす電池セルと、該電池セルの少なくとも一部を覆った状態で前記ケースの内部に組み付けられるセルホルダと、を有し、
前記セルホルダには、前記電池セルの円柱形状の外周面を挟み込むように当接して該電池セルを保持するセル保持部が設けられており、
前記電池セルの円柱形状の外周面を挟み込むように当接する前記セル保持部の当接間隔寸法が、前記電池セルの円柱形状の外周面の径寸法よりも小さく設定されている、ことを特徴とする電動工具用電池パック。
【請求項２】
請求項１に記載の電動工具用電池パックにおいて、
前記電池セルの円柱形状の外周面を挟み込むように当接する前記セル保持部の当接間隔寸法は、前記電池セルを保持させる際には拡がるように設定されており、且つ該電池セルを保持した際には該電池セルを押さえるように設定されている、ことを特徴とする電動工具用電池パック。
【請求項３】
請求項１または請求項２に記載の電動工具用電池パックにおいて、
前記セルホルダには、前記電池セルを収容するための挿入を案内するためのガイド部が設けられている、ことを特徴とする電動工具用電池パック。
【請求項４】
請求項３に記載の電動工具用電池パックにおいて、
前記ガイド部は、略Ｃ形の曲面を有して形成されている、ことを特徴とする電動工具用電池パック。
【請求項５】
請求項１〜請求項４のいずれかに記載の電動工具用電池パックにおいて、
前記セル保持部は、湾曲形状を備えながら前記電池セルの円柱形状の外周面に当たる１つの当接湾曲部と、該１つの当接湾曲部の延在方向両端を湾曲形状を備えながら弾性支持する２つの支持湾曲部とを有する、ことを特徴とする電動工具用電池パック。
【請求項６】
請求項１〜請求項５のいずれかに記載の電動工具用電池パックにおいて、前記セルホルダには、前記ケースの内面に向けて延ばされる延在部が設けられており、前記延在部は、該ケースの該内面に対して弾性を有しながら当接可能に構成されている、ことを特徴とする電動工具用電池パック。
【請求項７】
請求項６に記載の電動工具用電池パックにおいて、
前記延在部の弾性復元は、撓み戻しによるものとなっている、ことを特徴とする電動工具用電池パック。
【請求項８】
請求項６に記載の電動工具用電池パックにおいて、
前記延在部は、前記セル保持部の一部として設けられている、ことを特徴とする電動工具用電池パック。
【請求項９】
請求項１〜請求項８のいずれかに記載の電動工具用電池パックにおいて、
前記セル保持部は、前記電池セルの長さ方向の中心に対して該電池セルの長さ方向の対称位置のそれぞれに設けられている、ことを特徴とする電動工具用電池パック。
【請求項１０】
請求項６〜請求項９のいずれかに記載の電動工具用電池パックにおいて、
前記延在部は、前記電池セルの長さ方向の中心に対して該電池セルの長さ方向の対称位置のそれぞれに設けられている、ことを特徴とする電動工具用電池パック。
【発明の詳細な説明】
【技術分野】
【０００１】
本発明は、電動工具の電源として該電動工具の工具本体に着脱可能にされる電動工具用電池パックに関する。
【背景技術】
【０００２】
近年の電動工具にあっては、電源として工具本体に着脱可能にされる電動工具用電池パックが利用されている。このような電動工具用電池パックを工具本体に装着されていると、コードレス化された電動工具として手持ち式の利便性を向上させることができる。このような電動工具用電池パックは、一般に、外装をなしつつ筐体として機能するケースと、ケース内に装置される電池本体とを備える。ケースは、上下に２つに分割されたケースを一体にすることにより構成される。また、電池本体は、充放電可能な複数の電池セルと、複数の電池セルの充放電を制御する回路基板とを備える。この複数の電池セルは、一般にセルホルダと称される支持構造を介してケースの内部にて保持される（例えば、特許文献１参照）。このようなセルホルダに保持される電池セルの電極には、電極部材の一端が溶接等により結合されている。この電極部材は、通電可能とする部材であり、その他端はセルホルダに支持される回路基板に溶接等により結合されている。
【先行技術文献】
【特許文献】
【０００３】
【特許文献１】特開２００８−１０３１５号公報
【発明の概要】
【発明が解決しようとする課題】
【０００４】
ところで、上記した電池セルは、この電動工具用電池パックの構成部品の中で最も重い構成部品となっている。つまり、電池セル以外の構成部品の固有振動に対しての電池セルの固有振動は相違するものとなっている。このため、外部から電動工具用電池パックに衝撃や振動を加わると、電池セルの動きと、この電池セルの電極に結合される電極部材との動きとを、相違させる動きにしてしまいかねない。このような相違させる動きは、この結合されている箇所に負荷をかけてしまうものであるため、なるべく排除するようにしておきたい。なお、上記した特許文献１の電動工具用電池パックには、ケースと電池セルとの間にクッションとして機能する部材が介装させてあるが、このクッションとして機能する部材は、電池セルをケースに固定するためのものではない。このため、上記した電極に結合される電極部材に対する電池セルの動きを抑えるまでには至らないものとなっている。
【０００５】
本発明は、このような事情に鑑みなされたものであって、本発明が解決しようとする課題は、電動工具の電源として該電動工具の工具本体に着脱可能にされる電動工具用電池パックにおいて、外部から電動工具用電池パックに衝撃や振動を加わる場合でも、ケースに対する電池セルの相対的な動きや、セルホルダに対する電池セルの相対的な動きを抑えれるようにすることにある。
【課題を解決するための手段】
【０００６】
上記した課題を解決するにあたって、本発明に係る電動工具用電池パックは次の手段をとる。すなわち、本発明の第１の発明に係る電動工具用電池パックは、電動工具の電源として該電動工具の工具本体に着脱可能にされる電動工具用電池パックであって、ケースと、円柱形状をなす電池セルと、該電池セルの少なくとも一部を覆った状態で前記ケースの内部に組み付けられるセルホルダと、を有し、前記セルホルダには、前記電池セルの円柱形状の外周面を挟み込むように当接して該電池セルを保持するセル保持部が設けられており、前記電池セルの円柱形状の外周面を挟み込むように当接する前記セル保持部の当接間隔寸法が、前記電池セルの円柱形状の外周面の径寸法よりも小さく設定されている、ことを特徴とする。
この第１の発明に係る電動工具用電池パックによれば、セル保持部の当接間隔寸法が電池セルの円柱形状の外周面の径寸法よりも小さく設定されているので、セル保持部は、電池セルの円柱形状の外周面を把持するように当接する。これによって、セル保持部は、セルホルダと一体にするように電池セルを保持することができる。ここで、セルホルダはケースにより支持されているので、外部から電動工具用電池パックに衝撃や振動を加わる場合でも、ケースに支持されるセルホルダと電池セルとを一体的に動かすことができる。したがって、ケースに対する電池セルの相対的な動きや、セルホルダに対する電池セルの相対的な動きを抑えれるようにすることができる。
【０００７】
また、第２の発明に係る電動工具用電池パックは、前記第１の発明の電動工具用電池パックにおいて、前記電池セルの円柱形状の外周面を挟み込むように当接する前記セル保持部の当接間隔寸法は、前記電池セルを保持させる際には拡がるように設定されており、且つ該電池セルを保持した際には該電池セルを押さえるように設定されている、ことを特徴とする。
この第２の発明に係る電動工具用電池パックによれば、セル保持部の当接間隔寸法は、電池セルを保持させる際には拡がり、電池セルを保持した際には電池セルを押さえる。これによって、セル保持部による電池セルの保持を、弾性的な保持とすることができる。したがって、外部から電動工具用電池パックに衝撃や振動を加わる場合でも、ケースに支持されるセルホルダは、電池セルを弾性的に支持された一体的な動きとすることができ、よりケースに対する電池セルの相対的な動きや、セルホルダに対する電池セルの相対的な動きを抑えれるようにすることができる。
【０００８】
また、第３の発明に係る電動工具用電池パックは、前記第１または前記第２の発明の電動工具用電池パックにおいて、前記セルホルダには、前記電池セルを収容するための挿入を案内するためのガイド部が設けられている、ことを特徴とする。この第３の発明に係る電動工具用電池パックによれば、セルホルダには電池セルを収容するための挿入を案内するためのガイド部が設けられているので、電池セルをセルホルダに収容するにあたっての挿入がし易いものとなる。これによって、セルホルダに対しての電池セルの組付け性を高めることができる。
また、第４の発明に係る電動工具用電池パックは、前記第３の発明の電動工具用電池パックにおいて、前記ガイド部は、略Ｃ形の曲面を有して形成されている、ことを特徴とする。この第４の発明に係る電動工具用電池パックによれば、ガイド部は略Ｃ形の曲面を有して形成されているので、電池セルの外周形状に対応してセルホルダに対しての電池セルを挿入する際のガイド性能を高めることができる。
【０００９】
また、第５の発明に係る電動工具用電池パックは、前記第１〜前記第４の発明の電動工具用電池パックにおいて、前記セル保持部は、湾曲形状を備えながら前記電池セルの円柱形状の外周面に当たる１つの当接湾曲部と、該１つの当接湾曲部の延在方向両端を湾曲形状を備えながら弾性支持する２つの支持湾曲部とを有する、ことを特徴とする。
この第５の発明に係る電動工具用電池パックによれば、セル保持部は、２つの支持湾曲部の湾曲形状により弾性支持された１つの当接湾曲部により電池セルを当接支持することができる。これによって、セル保持部の電池セルの保持を弾性的な保持とするにあたって、このセル保持部の弾性的な機能を成形により良好に形成することができる。したがって、セル保持部の弾性的な機能を設けるにあたっての製造コストを抑えることができる。
【００１０】
また、第６の発明に係る電動工具用電池パックは、前記第１〜前記第５の発明のいずれかの電動工具用電池パックにおいて、前記セルホルダには、前記ケースの内面に向けて延ばされる延在部が設けられており、前記延在部は、該ケースの該内面に対して弾性を有しながら当接可能に構成されている、ことを特徴とする。
この第６の発明に係る電動工具用電池パックによれば、延在部はケースの内面に対して弾性を有しながら当接可能に構成されているので、延在部を介してケースの内面からセルホルダが支持されるにあたっての支持を緩衝作用を有する支持とすることができる。これによって、外部からの衝撃や振動を受けた場合でも、セルホルダはケースに対して的確に支持されるようになって、セルホルダのケースとの一体化をより強化することができる。なお、この延在部は、衝撃や振動を受けた場合に緩衝作用を有してセルホルダを支持するように構成されていればよく、このためにケースの内面に対して弾性を有しながら当接可能に構成されていればよいものである。つまり、この延在部としては、ケースの内面に対して常時当接していることが必ず要されるものではない。
【００１１】
また、第７の発明に係る電動工具用電池パックは、前記第６の発明の電動工具用電池パックにおいて、前記延在部の弾性復元は、撓み戻しによるものとなっている、ことを特徴とする。この第７の発明に係る電動工具用電池パックによれば、延在部の弾性復元は撓み戻しによるものとなっているので、延在部の成形された形状により弾性を得ることができる。これによって、できるだけ簡単に延在部をセルホルダに設けることができる。
また、第８の発明に係る電動工具用電池パックは、前記第６の発明の電動工具用電池パックにおいて、前記延在部は、前記セル保持部の一部として設けられている、ことを特徴とする。この第８の発明に係る電動工具用電池パックによれば、延在部はセル保持部の一部として設けられているので、延在部を設けるにあたって別の成形部分を加える必要が無くなり、セルホルダの成形の簡単化を図ることができて延在部を設けるためのスペースを小さくすることができる。これによって、電動工具用電池パック自体の大きさを出来るだけ大きくすることなく、効率良く延在部を設けることができる。
また、第９の発明に係る電動工具用電池パックは、前記第１〜前記第８の発明のいずれかの電動工具用電池パックにおいて、前記セル保持部は、前記電池セルの長さ方向の中心に対して該電池セルの長さ方向の対称位置のそれぞれに設けられている、ことを特徴とする。この第９の発明に係る電動工具用電池パックによれば、セル保持部は、電池セルの長さ方向の中心に対して電池セルの長さ方向の対称位置のそれぞれに設けられているので、バランス良く電池セルを保持することができる。
また、第１０の発明に係る電動工具用電池パックは、前記第６〜前記第９の発明のいずれかの電動工具用電池パックにおいて、前記延在部は、前記電池セルの長さ方向の中心に対して該電池セルの長さ方向の対称位置のそれぞれに設けられている、ことを特徴とする。この第１０の発明に係る電動工具用電池パックによれば、延在部は、電池セルの長さ方向の中心に対して電池セルの長さ方向の対称位置のそれぞれに設けられているので、バランス良く電池セルを支持することができる。
【図面の簡単な説明】
【００１２】
【図１】主たる第１の実施の形態の電池パックの上面の外観を示す外観図である。
【図２】図１の電池パックの前側の外観を示す外観図である。
【図３】図１の電池パックの全体を分解して示す全体分解斜視図である。
【図４】電池本体に関して組み付けた図３の電池パックの分解斜視図である。
【図５】下側ケースに電池本体を収容した図３の電池パックの分解斜視図である。
【図６】電池本体が取り外された下側ケースの内部を示す上面図である。
【図７】電池本体が収容された下側ケースの内部を示す上面図である。
【図８】図１における(VIII)-(VIII)断面矢視を示す断面図である。
【図９】図８の電池パックの断面を斜視にて示す断面斜視図である。
【図１０】図９の電池パックを中心左右方向で切った断面を示す断面斜視図である。
【図１１】第１の実施の形態のセルホルダの上面図である。
【図１２】図１１のセルホルダの前面図である。
【図１３】図１１のセルホルダの後面図である。
【図１４】図１１のセルホルダの右側面図である。
【図１５】図１１のセルホルダの左側面図である。
【図１６】図１１のセルホルダの下面図である。
【図１７】回路基板が取り付けられた図１１のセルホルダを示す側面図である。
【図１８】図１７のセルホルダに電池セルが挿入されているのを示す側面図である。
【図１９】第２の実施の形態の電池本体の下側斜視を示す斜視図である。
【図２０】第２の実施の形態となる電池パックを中心前後方向で切った断面を示す断面図である。
【図２１】図１９のセルホルダの右側面図である。
【図２２】図１９のセルホルダの左側面図である。
【図２３】第３の実施の形態となる電池本体の上側斜視を示す斜視図である。
【図２４】図２３の電池本体の下側斜視を示す斜視図である。
【図２５】第３の実施の形態となる電池パックを中心前後方向で切った断面を示す断面図である。
【図２６】第３の実施の形態となる電池パックを中心左右方向で切った断面を示す断面図である。
【図２７】図２３のセルホルダの右側面図である。
【図２８】図２３のセルホルダの左側面図である。
【図２９】第４の実施の形態となる電池本体の上側斜視を示す斜視図である。
【図３０】図２９の電池本体の下側斜視を示す斜視図である。
【図３１】第４の実施の形態となる電池パックを中心前後方向で切った断面を示す断面図である。
【図３２】図２９のセルホルダの上面図である。
【図３３】図２９のセルホルダの右側面図である。
【図３４】図２９のセルホルダの左側面図である。
【図３５】図２９のセルホルダの下面図である。
【発明を実施するための形態】
【００１３】
［第１の実施の形態］
以下に、本発明に係る電動工具用電池パックを実施するための第１の実施の形態について図１〜図１８を参照しながら説明する。図１に示す符号１０は、本発明に係る電動工具用電池パックに相当する電池パックである。この電池パック１０は、例えば電動ドライバに代表される各種の電動工具の工具本体にスライドさせることにより着脱可能に構成される充電式電池である。工具本体に装着された電池パック１０は、電動工具の電源として機能する。このため、電池パック１０は、充電量が少なくなると工具本体から取り外されて専用充電器に装着されて充電される。この専用充電器にて充電が完了した電池パック１０は、電動工具の駆動電源として再び工具本体に装着される。なお、これらの工具本体や専用充電器は、本発明に係る機器本体に相当する。すなわち、図１は、主たる第１の実施の形態の電池パック１０の上面の外観を示す外観図である。図２は、図１の電池パック１０の前側の外観を示す外観図である。図３は、図１の電池パック１０の全体を分解して示す全体分解斜視図である。図４は、電池本体３０に関して組み付けた図３の電池パック１０の分解斜視図である。図５は、下側ケース１２に電池本体３０を収容した図３の電池パック１０の分解斜視図である。図６は、電池本体３０が取り外された下側ケース１２の内部を示す上面図である。図７は、電池本体３０が収容された下側ケース１２の内部を示す上面図である。なお、図面にて規定される電池パック１０の前側は、この電池パック１０のスライド装着させる方向に基づく方向にて設定されている。また、図面にて規定される電池パック１０の上側は、この電池パック１０が不図示の工具本体に装着される方向に基づく方向にて設定されている。
【００１４】
図１〜図７に示すように、電池パック１０は、概略、ケース１１と、このケース１１の内部に装置される電池本体３０（図４等参照）とを備える。ケース１１は、電池パック１０の外装をなしつつ電池本体３０を内装する筐体として機能する。このケース１１は、上下の２つ割り構造を有して構成される。このケース１１は、下側ケース１２と上側ケース２１とを上下方向に合体して構成される。合体された下側ケース１２と上側ケース２１とは、図３に示す螺子部材１９を介して合体状態が保持される。このように合体されてなるケース１１は、内部に電池本体３０を装置可能な箱形空間を形成する。
下側ケース１２は、図３および図４に示すように、上面が開口された略箱形にて形成される。この下側ケース１２は、後に説明する電池本体３０の電池部３１を主として収容する略箱形をなしている。具体的には、下側ケース１２は、図５に示すように、前後方向で並列される５つの電池セル３３を収容可能な前後左右上下方向の寸法を有して形成されている。つまり、下側ケース１２は、電池本体３０の回路基板４２（制御部４１）については、下側ケース１２の収容領域から上側に食み出るように形成されている。
【００１５】
この下側ケース１２の側面角縁には、図４および図６に示すように、螺子止めするための螺子孔１３が設けられている。また、この下側ケース１２の底面角縁には、図４および図６に示すように、内部の水を外部に排水するための排水孔１４が設けられている。また、左右両側の内部側面には、支持リブ１５と抑えリブ１６が設けられている。支持リブ１５は、略矩形にて突き出される形状にて形成される。この支持リブ１５は、後に説明するセルホルダ５０の隙間部５６１，５７１に嵌合されて、下側ケース１２の内部におけるセルホルダ５０の前後方向の移動を規制する部分に設定されている。また、抑えリブ１６は、上下方向に延びる略凸条にて突き出される形状にて形成される。この抑えリブ１６は、リード板３７を電池セル３３側に向けて押さえ込むようにリード板３７に当接されるリブである。この抑えリブ１６は、下側に向かうにしたがってリード板３７に当接する範囲が拡がるように設定されている。なお、後にも説明するが電池部３１の上側に配置される制御部４１は、次に説明する上側ケース２１に収容される。
【００１６】
上側ケース２１は、図３に示すように、下側ケース１２の上側にて配置される。この上側ケース２１は、下側ケース１２と一体となるように螺子部材１９により螺子止めされる。つまり、上側ケース２１には、下側ケース１２の螺子孔１３を通された螺子部材１９を螺合する螺子ボス２２が設けられている。この上側ケース２１は、後に説明する電池本体３０の制御部４１を収容可能な下面が開口された略箱形にて形成されている。
上側ケース２１は、電池パック１０を機器本体（電動工具の工具本体や専用充電器）にスライド装着させる際の接続側の外装をなす。上側ケース２１の中間部分には、左右で対をなすスライドガイド部２３１，２３２が設けられている。このスライドガイド部２３１，２３２は、この電池パック１０の工具本体等の機器本体に対してのスライド装着をガイドする。このため、スライドガイド部２３１，２３２は、スライド装着可能な前後方向に延びるように左右両側に向けて張り出されたフランジ形状により形成される。このスライドガイド部２３１，２３２のそれぞれには、凹み部２３３が設けられている。この凹み部２３３は、電池パック１０を電動工具に装着した場合に、電動工具が駆動することによる振動が電池セル３３に伝わるのを緩衝させる機能を有する。また、上側ケース２１には、後に説明する充放電端子４４および信号端子４６が機器本体側の端子と電気的に接続できるように形成される。すなわち、上側ケース２１には、充放電端子用スリット２４１と信号端子用スリット２４２とが設けられている。これらのスリット２４１，２４２は、板形をなす雄形外部端子を差し込むことができるように形成されている。また、この上側ケース２１には、電池パック１０を機器本体にスライド装着させるにあたってのガイドスリット２４３，２４４が設けられている。
【００１７】
また、この上側ケース２１には、フック用開口部２６１および操作用開口部２６２が設けられている。フック用開口部２６１は、雄フック機構７０のフック部７２を外部に突出可能にさせる開口部である。フック用開口部２６１から突き出されたフック部７２は、外部の不図示の電動工具または専用充電器の雌部に対して係合されるようになっている。操作用開口部２６２は、上記した雄フック機構７０の操作部７３を外部に露出可能にさせる開口部である。操作用開口部２６２から操作可能にされる操作部７３は、フック用開口部２６１から外部に突き出されるフック部７２の係合をユーザにより解除操作できるようになっている。
雄フック機構７０は、電池パック１０を機器本体に対してスライド装着させた場合に、この機器本体に対して取外し可能に係止する構造を有してなる。すなわち、雄フック機構７０は、図３等に示すように、フック形状および指掛かり形状を具備するフック形構造体７１と、このフック形構造体７１を係止方向に付勢する付勢ばね７５とを備える。このフック形構造体７１は、上記したフック部７２と操作部７３とを備える。このように構成される雄フック機構７０は、付勢ばね７５の付勢力により自動的にフック部７２を機器本体の雌部分に係止させるようになっている。また、付勢ばね７５の付勢力に抗して操作部７３を引下げ操作をすると、機器本体の雌部分に対するフック部７２の係止を解除することができ、電池パック１０をスライドさせて機器本体から取り外すことができる。
【００１８】
上記したように形成された下側ケース１２には、上側に配置された上側ケース２１を螺子部材１９により螺子止めされてケース１１をなす。このように下側ケース１２に合体される上側ケース２１との関係には、互いの合体状態をより強固にする構造が設けられている。すなわち、図８〜図１０における丸抜きの図に示すように、下側ケース１２の上側に向けて開口される開口端縁１８には、この開口端縁１８に沿って嵌合凹溝１８１が設けられている。この嵌合凹溝１８１は、開口端縁１８の板厚方向の中央箇所を開口端縁１８に沿って設けられている。このため、この嵌合凹溝１８１は、下側ケース１２の前後左右の開口端縁１８のすべてに亘るように設けられている。この嵌合凹溝１８１の凹溝幅は、開口端縁１８の板厚の略３分の１で設定されている。また、嵌合凹溝１８１の凹溝深さは、開口端縁１８の板厚の略同じで設定されている。
これに対して、上側ケース２１の下側に向けて開口される開口端縁２８には、この嵌合凹溝１８１に対して嵌合する嵌合凸条部２８１が設けられている。この嵌合凸条部２８１は、この上側ケース２１の前後左右の開口端縁２８のすべてに亘って設けられるものであり、下側ケース１２に設けられる嵌合凹溝１８１の深さに対応した突出幅と突出長さとを有して形成される。具体的には、この嵌合凸条部２８１の突出幅は、開口端縁２８の板厚の略３分の１で設定されている。また、嵌合凸条部２８１の突出長さは、開口端縁２８の板厚の略同じで設定されている。
このような設定事項で嵌合される嵌合凹溝１８１と嵌合凸条部２８１との関係は、互いの開口端縁１８，２８同士を強固に結合させる。つまり、下側ケース１２に対して上側ケース２１が相対的に荷重がかかったり、上側ケース２１に対して下側ケース１２が相対的に荷重がかかったりしても、互いの相対的なズレを強く抑えることができる。
【００１９】
次に、上記したケース１１の内部に装置される電池本体３０について説明する。電池本体３０は、上記したケース１１の内部に装置される。この電池本体３０は、充電式電池となる電池パック１０としての各種の機能を有している。この電池本体３０は、図４等に示すように、電池部３１と制御部４１とを備える。電池部３１は、図３に示すように、５本の電池セル３３（３３１，３３２，３３３，３３４，３３５）を有する。この電池セル３３は、広く利用される充放電可能な電池セルであり、外形が円柱形状にて形成される。この電池セル３３は、前側から順に、第１電池セル３３１，第２電池セル３３２，第３電池セル３３３，第４電池セル３３４，第５電池セル３３５となっている。この５本の電池セル３３は、左右方向に延びる横置きで前後方向で並列されている。このため、５本の電池セル３３のプラス電極３４とマイナス電極３５は、左右両側端に配置されるようになっている。なお、図３に示すように、プラス電極３４のそれぞれには、絶縁シート３６が取り付けられている。
この５本の電池セル３３の左右両端の電極３４，３５には、互いの電極３４，３５同士を電気的に接続するためのリード板３７（３７１，３７２，３７３，３７４，３７５，３７６）が設けられている。すなわち、図３に示すように、電池セル３３の左右両端の電極３４，３５のそれぞれには、第１リード板３７１、第２リード板３７２、第３リード板３７３、第４リード板３７４、第５リード板３７５、第６リード板３７６が、溶接により結合されている。これらのリード板３７（３７１，３７２，３７３，３７４，３７５，３７６）は、本発明に係る電極部材に相当する。なお、この５本の電池セル３３は、後に詳述するセルホルダ５０にて保持されている。また、図示符号３８は、下側ケース１２の内面となる内部底面１２１に敷かれる緩衝マットである。この緩衝マット３８は、弾性を有する樹脂にて成形されるシート形状を有する。この緩衝マット３８は、電池セル３３が並べられる前後方向の範囲に及ぶように形成されている。この緩衝マット３８は、後に詳述するセルホルダ５０のセル保持部６３の配設位置を開けるように適宜間隔を有して設けられている。
【００２０】
制御部４１は、電池部３１の上側に配置される。この制御部４１は、各種の制御処理を行う回路基板４２を有する。回路基板４２は、マイコンが装備されており、結合されるリード板３７を介して電池セル３３の状態を監視して充放電に関する制御を行っている。このため、この回路基板４２には、５本の電池セル３３の左右両端の電極３４，３５に取り付けられているリード板３７の上端が電気的に接続されている。具体的には、これらのリード板３７（３７１，３７２，３７３，３７４，３７５，３７６）の上端が、溶接により回路基板４２に対して結合されている。これらのリード板３７は、電池セル３３の電極３４，３５と回路基板４２とに溶接により結合されていることとなる。
回路基板４２の上面には、充放電端子４４と信号端子４６とが設けられている。これら充放電端子４４と信号端子４６とは、機器本体となる不図示の工具本体や専用充電器に対して電気的に接続される端子となっている。これらの充放電端子４４と信号端子４６とは、板ばね形の金属端子を対向配置させることにより形成される。この充放電端子４４は、電池パック１０を電源として工具本体に装着する場合には放電用端子と機能する。また、この充放電端子４４は、電池パック１０を専用充電器に装着する場合には充電用端子と機能する。このため、この充放電端子４４は、例えば工具本体側のプラス端子と接続されるプラス接続用端子４４１と、例えば工具本体側のマイナス端子と接続されるマイナス接続用端子４４２とを備える。これらプラス接続用端子４４１およびマイナス接続用端子４４２は、両者ともに前後方向に２つ端子を並列させて設けられている。
【００２１】
信号端子４６は、４つ設けられている。これら３つの信号端子４６のそれぞれは、電池パック１０として機器本体に装着された際に、この機器本体との間で互いの情報を送受信する端子として構成される。すなわち、第１信号端子４６１は、接続される専用充電器に対して充電完了信号を送信する信号端子となっている。具体的には、この第１信号端子４６１は、回路基板４２が電池セル３３の電圧が任意の閾値以上になったと判断した場合には、接続される専用充電器の充電制御を強制的に停止させるように、接続される専用充電器に向けて充電完了信号を送信する。また、第２信号端子４６２は、電池セル３３の温度の監視電圧情報を専用充電器に常時送信する信号端子となっている。具体的には、この第２信号端子４６２は、電池セル３３の温度が異常温度に達した場合には、電池セル３３の温度が異常温度に達したと判断して専用充電器の充電制御を停止させるように、接続される専用充電器に向けて監視電圧情報を送信する。また、第３信号端子４６３は、接続される専用充電器に対して過充電防止信号を送信する信号端子となっている。具体的には、この第３信号端子４６３は、上記した第１信号端子４６１で専用充電器の充電制御を停止させることができない場合、電池パック１０が過充電となってしまわないように専用充電器の充電制御を停止させるように、この第３信号端子４６３から接続される専用充電器に向けて過充電防止信号を送信する。また、第４信号端子４６４は、接続される工具本体に対して過放電防止信号を送信する信号端子となっている。具体的には、この第４信号端子４６４は、回路基板４２が電池セル３３の電圧が任意の閾値以下になったと判断した場合には、接続される工具本体の放電制御を強制的に停止させるように、接続される工具本体に向けて放電停止信号を送信する。なお、上記した６つの並列配置される信号端子４６同士の間では、電気的に接続させたくない信号端子４６同士の間ほど、なるべく遠ざけるようにして配列されている。また、上記した信号端子４６により送受信される情報は、上記した内容に限定されることなく電池パック１０や機器本体に関する適宜の情報であれば足りるものである。また、送受信される信号は、回路基板４２の制御処理に基づいた情報となっている。
【００２２】
次に、上記した電池セル３３を保持するセルホルダ５０について図８〜図１８を参照しながら説明する。すなわち、図８は、図１における(VIII)-(VIII)断面矢視を示す断面図である。図９は、図８の電池パック１０の断面を斜視にて示す断面斜視図である。図１０は、図９の電池パック１０を中心左右方向で切った断面を示す断面斜視図である。図１１は、第１の実施の形態のセルホルダ５０の上面図である。図１２は、図１１のセルホルダ５０の前面図である。図１３は、図１１のセルホルダ５０の後面図である。図１４は、図１１のセルホルダ５０の右側面図である。図１５は、図１１のセルホルダ５０の左側面図である。図１６は、図１１のセルホルダ５０の下面図である。図１７は、回路基板４２が取り付けられた図１１のセルホルダ５０を示す側面図である。図１８は、図１７のセルホルダ５０に電池セル３３が挿入されているのを示す側面図である。
セルホルダ５０は、５本の電池セル３３（３３１，３３２，３３３，３３４，３３５）を下側ケース１２の内部にて収容保持させるために、この５本の電池セル３３を１つに纏めるホルダとして構成されている。なお、このセルホルダ５０は、電池セル３３の少なくとも一部を覆った状態で下側ケース１２の内部に組み付けるものである。つまり、このセルホルダ５０は、下側ケース１２の内部に電池セル３３を配置することができるように、この下側ケース１２の内部を区画する機能を有する。このセルホルダ５０は、適宜のプラスチック樹脂により成形される。このセルホルダ５０は、概略、セルホルダ５０としての骨格をなす外縁体５１と、この外縁体５１にて支持されて電池セル３３を収容するセル収容部６０（６０１，６０２，６０３，６０４，６０５）とを備える。
【００２３】
外縁体５１は、ケース１１からの支持を受ける構造を有しつつ、セル収容部６０を支持する構造を有する。すなわち、外縁体５１は、概略、基板合体部５２と、内面当接部５３とを有する。基板合体部５２は、セルホルダ５０が上記した回路基板４２に対して係止する部分となっている。具体的には、基板合体部５２は、上記した回路基板４２に係止させるための前側係止フック５２１および後側係止フック５２２の２つにて構成される。これら２つの前側係止フック５２１および後側係止フック５２２は、外縁体５１から中心に向けて延ばされる側面収容区画部６１１に対して上側に突き出されるようにして外縁体５１と一体に設けられている。これら２つの前側係止フック５２１および後側係止フック５２２は、セルホルダ５０の左右方向の中心軸線上でそれぞれ前後方向にずらされた位置に設けられている。具体的には、セルホルダ５０の左右方向の中心軸線上の前側には前側係止フック５２１が設けられており、セルホルダ５０の左右方向の中心軸線上の後側には後側係止フック５２２が設けられている。なお、前側係止フック５２１は、図８に示すように、回路基板４２の前側端縁４２１に対して上側に突き出されるようにして係止する。係止した前側係止フック５２１は、後に説明するセル収容部６０の上面収容区画部６１２とで回路基板４２を挟み込む。また、後側係止フック５２２は回路基板４２の後側端縁４２２に対して上側から係止して、係止した後側係止フック５２２は後に説明するセル収容部６０の上面収容区画部６１２とで回路基板４２を挟み込む。このようにして、前側係止フック５２１と後側係止フック５２２とを有する基板合体部５２は、セルホルダ５０が回路基板４２と一体となるようにこれらを合体させる。このように基板合体部５２によって、セルホルダ５０と回路基板４２とを一体となるように合体させてあると、これらセルホルダ５０と回路基板４２とを留めておくためのビス等の螺子部材を廃止することができて生産性に優れたものとなる。また、基板合体部５２によりセルホルダ５０と回路基板と４２とが１つに纏められると、組付け工程時における作業性も向上させることができる。
【００２４】
内面当接部５３は、主として下側ケース１２の内面に当接するセルホルダ５０の外縁形状をなしている。すなわち、内面当接部５３は、前側壁部５４と、後側壁部５５と、右側壁部５６と、左側壁部５７とを有する。前側壁部５４は、下側ケース１２の前側内面１７１と面接触にて当接可能な外面形状を有する。この前側壁部５４は、図６に示す下側ケース１２の前側内面１７１と面接触にて当接可能な外面形状を有する。後側壁部５５は、図６に示す下側ケース１２の後側内面１７２と面接触にて当接可能な外面形状を有する。
また、右側壁部５６は、図６に示す下側ケース１２の右側内面１７３と面接触にて当接可能な外面形状を有する。この右側壁部５６には隙間部５６１が設けられており、上記した下側ケース１２に設けられる支持リブ１５が嵌合されるようになっている。また、これと同様に、左側壁部５７は、図６に示す下側ケース１２の左側内面１７４と面接触にて当接可能な外面形状を有する。この左側壁部５７にも隙間部５７１が設けられており、上記した下側ケース１２に設けられる支持リブ１５が嵌合されるようになっている。このようにして、下側ケース１２の内部におけるセルホルダ５０の前後方向の相対移動は、前側壁部５４および後側壁部５５によって当接規制されて、セルホルダ５０は下側ケース１２に支持される。加えて、下側ケース１２の内部におけるセルホルダ５０の前後方向の相対移動は、隙間部５６１，５７１に嵌合される支持リブ１５によって当接規制されて、さらにリード板３７を電池セル３３側に向けて押さえ込む抑えリブ１６によって当接規制されて、セルホルダ５０は下側ケース１２に支持される。
また、ケース１１に対するセルホルダ５０の上方向の相対移動の規制は、次に説明するセル収容部６０の収容区画部６１が回路基板４２が下側から当接することによりなされている。また、ケース１１に対するセルホルダ５０の下方向の相対移動の規制は、次に説明するセル収容部６０に収容された状態の電池セル３３を緩衝マット３８に押し当てることよりなされている。
【００２５】
ところで、上記したセルホルダ５０の前側壁部５４の左右方向（幅方向）の中央部分には、左右方向（幅方向）の幅が僅かであるが、前側押圧リブ５４１が設けられている。この前側押圧リブ５４１は、本発明に係る寸法差介在部材に相当する。すなわち、この前側押圧リブ５４１は、下側ケース１２の内部にセルホルダ５０が組み付けられるに際して、下側ケース１２の前側内面１７１に対して押し当て力を生じさせるように、この前側内面１７１に当接する部分である。
具体的には、前側押圧リブ５４１は、この下側ケース１２の内部とセルホルダ５０の前側壁部５４との寸法差を埋めるように、下側ケース１２の内部にセルホルダ５０が組み付けられる直前から下側ケース１２の前側内面１７１に対して当接するように形成されている。つまり、下側ケース１２の内部にセルホルダ５０が組み付けられた際には、下側ケース１２の内部とセルホルダ５０の前側壁部５４との寸法差は完全に埋められるようになっている。この場合には、前側押圧リブ５４１は、下側ケース１２の前側内面１７１に対して当接することによって、下側ケース１２の前側内面１７１に対して良好な押し当て力を生じさせる。なお、前側押圧リブ５４１は、この前側壁部５４と一体にされるようにセルホルダ５０に対して一体に成形されている。具体的には、この前側押圧リブ５４１は、上側に突き出されながら前側に傾斜する形状を有している。また、この前側押圧リブ５４１が設けられる箇所は、上記した下側ケース１２の前側内面１７１の左右方向（幅方向）の中央部分であり、この前側内面１７１の上端に対向する部分として設定されている。このため、この前側押圧リブ５４１は、セルホルダ５０を下側ケース１２の内部に組み付ける際の、セルホルダ５０の組付け方向の基端側の縁（基端側縁）に対して設けられるものとなっている。なお、セルホルダ５０を下側ケース１２の内部に組み付けた際の、前側押圧リブ５４１の上側端縁は、対向する下側ケース１２の前側内面１７１の上側端縁と揃うように設定されている。このように設定される前側押圧リブ５４１は、上記した電池セル３３の延在軸線方向に直交する方向に沿った一端側となる前端側にのみに設けられるものとなっている。
【００２６】
次に、セルホルダ５０に設けられるセル収容部６０について説明する。このセル収容部６０は、セルホルダ５０のうち電池セル３３を収容する部分である。このセル収容部６０は、すなわち、セル収容部６０は、電池セル３３を収容するための中空構造を区画する収容区画部６１と、収容された電池セル３３を保持するためのセル保持部６３とを有する。収容区画部６１は、前後方向に並べられる第１〜第５セル収容部６０１〜６０５ごとに区分けするように設けられるものである。この収容区画部６１は、概略、側面収容区画部６１１と上面収容区画部６１２とを連接させることにより形成される。これら側面収容区画部６１１と上面収容区画部６１２とは左右方向に延びる区画壁状にて形成され、前後方向に並べられる第１〜第５セル収容部６０１〜６０５ごとに区画する。具体的には、側面収容区画部６１１は、前後方向を隔てるように設けられる区画壁状に形成される。また、上面収容区画部６１２は、上下方向を隔てるように設けられる区画壁状に形成される。このように設けられる側面収容区画部６１１と上面収容区画部６１２とは、第１〜第５セル収容部６０１〜６０５を確保するようにセルホルダ５０を区画する。このように設けられる側面収容区画部６１１と上面収容区画部６１２とは、本発明に係るガイド部に相当する。つまり、これら側面収容区画部６１１と上面収容区画部６１２とは、セルホルダ５０の第１〜第５セル収容部６０１〜６０５に第１電池セル３３１〜３３５を収容するための挿入を案内する機能を有する略Ｃ形の曲面を有して形成されている。
【００２７】
このように区画されて設けられる第１〜第５セル収容部６０１〜６０５は、左右両側が開口された形状が設けられることとなる。このような第１〜第５セル収容部６０１〜６０５の開口された形状には、図１１の白抜き矢印にて示すように、これら第１〜第５セル収容部６０１〜６０５に対する左右両側のいずれか一方の開口形状しか電池セル３３を挿入できないように設定されている。すなわち、これら第１〜第５セル収容部６０１〜６０５に対する左右両側のいずれか他方の開口形状には、この開口形状を閉塞して電池セル３３の挿入を規制する開口閉塞部６２が設けられている。この開口閉塞部６２は、前側から順に、第１開口閉塞部６２１、第２開口閉塞部６２２、第３開口閉塞部６２３、第４開口閉塞部６２４、第５開口閉塞部６２５となっている。すなわち、第１開口閉塞部６２１は、第１セル収容部６０１の右側の開口形状を一部閉塞するように右側壁部５６から張り出して設けられている。このため、第１セル収容部６０１に電池セル３３を収容するにあたっては左側からの挿入しか収容できないようになっている。また、第２開口閉塞部６２２は、第２セル収容部６０２の左側の開口形状を一部閉塞するように、左側壁部５７から張り出して設けられている。このため、第２セル収容部６０２に電池セル３３を収容するにあたっては右側からの挿入しか収容できないようになっている。
【００２８】
また、第３開口閉塞部６２３は、第３セル収容部６０３の右側の開口形状を一部閉塞するように、右側壁部５６から張り出して設けられている。このため、第３セル収容部６０３に電池セル３３を収容するにあたっては左側からの挿入しか収容できないようになっている。また、第４開口閉塞部６２４は、第４セル収容部６０４の左側の開口形状を一部閉塞するように、左側壁部５７から張り出して設けられている。このため、第４セル収容部６０４に電池セル３３を収容するにあたっては右側からの挿入しか収容できないようになっている。また、第５開口閉塞部６２５は、第５セル収容部６０５の右側の開口形状を一部閉塞するように、右側壁部５６から張り出して設けられている。このため、第５セル収容部６０５に電池セル３３を収容するにあたっては左側からの挿入しか収容できないようになっている。このようにして、第１〜第５セル収容部６０１〜６０５に対して電池セル３３を収容するにあたっては、電池セル３３を左側と右側の交互に挿入するようになっている。つまり、第１〜第５開口閉塞部６２１〜６２５は、第１〜第５セル収容部６０１〜６０５に対して挿入される電池セル３３の挿入方向が任意の左右一方側からのみとなるように任意の左右他方側を閉鎖する機能を有するものとなっている。なお、これら第１〜第５セル収容部６０１〜６０５に対する電池セル３３の挿入方向は、電池セル３３のプラス電極が常に挿入方向先端側に位置されるように設定されている。
【００２９】
ところで、セルホルダ５０には、電池セル３３の円柱形状の外周面３３０を挟み込むように当接して電池セル３３を保持するセル保持部６３が設けられている。このセル保持部６３は、上記した第１〜第５セル収容部６０１〜６０５ごとに２つずつ設けられている。セル保持部６３は、セルホルダ５０の左右方向の中心軸線に対して左右対称となる位置に対をなすように設けられている。つまり、このセル保持部６３は、電池セル３３の長さ方向の中心に対して電池セル３３の長さ方向の対称位置のそれぞれに１つずつ設けられている。具体的には、セルホルダ５０の左右方向の中心軸線に対して右側には右側セル保持部６３１が配置されている。また、セルホルダ５０の左右方向の中心軸線に対して左側には、左側セル保持部６３２が配置されている。
このセル保持部６３は、上記した収容区画部６１（側面収容区画部６１１および上面収容区画部６１２）とにより電池セル３３の円柱形状の外周面３３０をを挟み込むようにして電池セル３３を保持する。言い換えれば、セル保持部６３は、上記したセル収容部６０の略Ｃ形の曲面をなす収容区画部６１に対して電池セル３３を押し当てるように円柱形状の外周面３３０に当接する。この際、このセル保持部６３は、側面収容区画部６１１および上面収容区画部６１２とに対して、電池セル３３を押し当てるように作用する。つまり、セル保持部６３と収容区画部６１とが当接するの当接間隔寸法は、電池セル３３の円柱形状の外周面３３０の径寸法よりも小さく設定されている。より詳しく言えば、セル保持部６３と収容区画部６１とにより形成される内径は、電池セル３３の外周面３３０の周径よりも小さく設定されている。このため、セル保持部６３と収容区画部６１とは、電池セル３３を挟み込んで保持することができる。なお、セル保持部６３と収容区画部６１（側面収容区画部６１１および上面収容区画部６１２）とにより形成される内径は、本発明に係る当接間隔寸法に相当する。
【００３０】
このセル保持部６３の当接間隔寸法は、電池セル３３を保持させる際には拡がるように設定されている。具体的には、セル保持部６３は、収容区画部６１（側面収容区画部６１１および上面収容区画部６１２）に対して相対的に接近したり離間したりされるように形成されている。すなわち、セル保持部６３は、弾性変形可能に形成されている。これにより、セル保持部６３は、この収容区画部６１に対して接近離間可能に弾性変形させることができる。つまり、収容区画部６１に対してのセル保持部６３の相対的な位置が変わることにより、上記した当接間隔寸法に相当するセル保持部６３と収容区画部６１（側面収容区画部６１１および上面収容区画部６１２）とにより形成される内径は伸縮する。
このようにして、セル保持部６３と収容区画部６１とにより形成さえる当接間隔寸法（内径）は電池セル３３を保持させる際には拡がるようになっており、このセル保持部６３の弾性を利用してセル保持部６３を電池セル３３の円柱形状の外周面３３０に当接させて収容区画部６１と挟み込む。つまり、セル保持部６３は、保持した際の電池セル３３の円柱形状の外周面３３０を収容区画部６１に向けて押さえるように作用する。
ここで、セル保持部６３は、適宜のプラスチック樹脂により弾性変形可能に成形されるにあたって、次のような構成を有するように形成されている。すなわち、セル保持部６３は、電池セル３３の円柱形状の外周面３３０に当たる１つの当接湾曲部６４と、この１つの当接湾曲部６４の延在方向両端に設けられる２つの支持湾曲部６５，６６とを備える。当接湾曲部６４は、電池セル３３の外周面３３０の形状に対応した緩やかな湾曲形状を有して形成される。この当接湾曲部６４は、主として電池セル３３の外周面３３０に対応したものであるが、僅かながらも弾性変形可能になっている。つまり、当接湾曲部６４は、緩やかな湾曲形状を直線形状に撓ませることができるようになっている。このように撓ませた当接湾曲部６４は、この撓んだ直線形状から元の緩やかな湾曲形状に再び戻ろうと弾性復元するように作用する。
【００３１】
また、２つの支持湾曲部６５，６６は、この当接湾曲部６４の延在方向両端から、この延在方向に沿って延びるように当接湾曲部６４に連接して設けられている。この支持湾曲部６５，６６は、対をなすように形成されており、互いに当接湾曲部６４に対して対称をなす形状を有する。この支持湾曲部６５，６６は、当接湾曲部６４よりも急な角度で曲げられた湾曲形状を有して形成されている。具体的には、支持湾曲部６５，６６は、当接湾曲部６４の端部から略１８０度で切り返されるように円弧を描きながら形成されている。このため、この支持湾曲部６５，６６は、当接湾曲部６４よりも、柔軟に弾性変形可能に形成されるものとなっている。このように形成される支持湾曲部６５，６６は、当接湾曲部６４を弾性支持することができるようになっている。つまり、上記した当接間隔寸法（内径）を拡げるように当接湾曲部６４が押圧されると、この支持湾曲部６５，６６が優先して撓むこととなる。このように撓んだ支持湾曲部６５，６６は、元の湾曲形状に再び戻ろうと弾性復元するように作用する。この支持湾曲部６５，６６による弾性復元作用は、当接湾曲部６４を元通りの当接湾曲部６４の位置に戻そうとする作用となる。つまり、当接湾曲部６４は、上記した当接間隔寸法（内径）を縮ませるように元の位置に戻ろうとし、拡げられた電池セル３３の外周面３３０を押圧することとなる。
また、上記したセルホルダ５０には、下側ケース１２の内面となる内部底面１２１に向けて延ばされる延在脚部６７が設けられている。この延在脚部６７は、本発明に係る延在部に相当する。この延在脚部６７は、下側ケース１２の内部底面１２１に対して当接し、更に延在脚部６７に力が加わるような場合に、この延在脚部６７の形状を撓ませる。この撓んだ延在脚部６７は、元に戻ろうと復元する弾性を有している。また、この延在脚部６７が設けられる前後方向の位置としては、第１〜第５セル収容部６０１〜６０５の間ごとに設けられている。また、この延在脚部６７が設けられる左右方向の位置としては、左右方向に右、中、左とに分断されて区分けされた３箇所に設けられている。つまり、第１〜第５セル収容部６０１〜６０５の間ごとに、右側延在脚部６７１、中側延在脚部６７２、左側延在脚部６７３が設けられている。なお、これら右側延在脚部６７１、中側延在脚部６７２、左側延在脚部６７３は、前側壁部５４および後側壁部５５に対しても設けられている。これら右側延在脚部６７１、中側延在脚部６７２、左側延在脚部６７３は、セル保持部６３が設けられる箇所で分断されるように、セルホルダ５０の外縁体５１から下側に向けて延ばされている。なお、右側延在脚部６７１と中側延在脚部６７２との間には、右側セル保持部６３１が配置されるようになっており、中側延在脚部６７２と左側延在脚部６７３との間には、左側セル保持部６３２が配置されるようになっている。また、右側延在脚部６７１と左側延在脚部６７３とについては、電池セル３３の長さ方向の中心に対して電池セル３３の長さ方向の対称位置のそれぞれに設けられている。この延在脚部６７は、弾性変形可能な板状に延びて形成されている。この延在脚部６７は、上記した外縁体５１に対して連接して設けられており、この外縁体５１から支持されるようになっている。
【００３２】
上記したように構成される電池パック１０によれば、次のような作用効果を奏することができる。すなわち、上記した電池パック１０によれば、セル保持部６３と収容区画部６１との当接間隔寸法が電池セル３３の円柱形状の外周面３３０の径寸法よりも小さく設定されているので、セル保持部６３は、電池セル３３の円柱形状の外周面３３０を把持するように当接する。これによって、セル保持部６３は、セル収容部６０においてセルホルダ５０と一体にするように電池セル３３を保持することができる。ここで、セルホルダ５０はケース１１により支持されているので、外部から電池パック１０に衝撃や振動を加わる場合でも、ケース１１に支持されるセルホルダ５０と電池セル３３とを一体的に動かすことができる。したがって、ケース１１に対する電池セル３３の相対的な動きを抑えれるようにすることができる。また、上記した電池パック１０によれば、セル保持部６３と収容区画部６１との当接間隔寸法は、電池セル３３を保持させる際には拡がり、電池セル３３を保持した際には電池セル３３を押さえる。これによって、セル保持部６３による電池セル３３の保持を、弾性的な保持とすることができる。したがって、外部から電池パック１０に衝撃や振動を加わる場合でも、ケース１１に支持されるセルホルダ５０は、電池セル３３を弾性的に支持された一体的な動きとすることができ、よりケース１１に対する電池セル３３の相対的な動きを抑えれるようにすることができる。また、上記した電池パック１０によれば、セルホルダ５０には電池セル３３を収容するための挿入を案内するための収容区画部６１が設けられているので、電池セル３３をセルホルダ５０に収容するにあたっての挿入がし易いものとなる。これによって、セルホルダ５０に対しての電池セル３３の組付け性を高めることができる。また、上記した電池パック１０によれば、収容区画部６１は略Ｃ形の曲面を有して形成されているので、電池セル３３の外周形状に対応してセルホルダ５０に対しての電池セル３３を挿入する際のガイド性能を高めることができる。
【００３３】
また、上記した電池パック１０によれば、セル保持部６３は、２つの支持湾曲部６５,６６の湾曲形状により弾性支持された１つの当接湾曲部６４により電池セル３３を当接支持することができる。これによって、セル保持部６３の電池セル３３の保持を弾性的な保持とするにあたって、このセル保持部６３の弾性的な機能を成形により良好に形成することができる。したがって、セル保持部６３の弾性的な機能を設けるにあたっての製造コストを抑えることができる。また、上記した電池パック１０によれば、延在脚部６７は下側ケース１２の内部底面１２１に対して弾性を有しながら当接可能に構成されている。このため、延在脚部６７を介して下側ケース１２の内部底面１２１からセルホルダ５０が支持されるにあたっての支持を緩衝作用を有する支持とすることができる。これによって、外部からの衝撃や振動を受けた場合でも、セルホルダ５０はケース１１に対して的確に支持されるようになって、セルホルダ５０のケース１１との一体化をより強化することができる。なお、上記した延在脚部６７は、衝撃や振動を受けた場合に緩衝作用を有してセルホルダ５０を支持するように構成されていればよく、このためにケース１１の内面に対して弾性を有しながら当接可能に構成されていればよいものである。つまり、この延在脚部６７としては、ケース１１の内面に対して常時当接していることが必ず要されるものではない。また、上記した電池パック１０によれば、延在脚部６７はセル保持部６３の一部として設けられているので、延在脚部６７を設けるためのスペースを小さくすることができる。これによって、電池パック１０自体の大きさを出来るだけ大きくすることなく、効率良く延在脚部６７を設けることができる。また、上記した電池パック１０によれば、セル保持部６３は、電池セル３３の長さ方向の中心に対して電池セル３３の長さ方向の対称位置のそれぞれに設けられているので、バランス良く電池セル３３を保持することができる。また、上記した電池パック１０によれば、延在脚部６７は、電池セル３３の長さ方向の中心に対して電池セル３３の長さ方向の対称位置のそれぞれに設けられているので、バランス良く電池セル３３を支持することができる。
【００３４】
また、上記した電池パック１０によれば、セルホルダ５０には前側押圧リブ５４１が一体に設けられているので、組み付けられるケース１１の内部との間の寸法差を前側に押し当て力を生じさせることにより埋めることができる。つまり、セルホルダ５０は、ケース１１の内部に対する前側押圧リブ５４１の押し当て力により、ケース１１の内部で後側に向けて押されることとなる。これによって、このケース１１の内部で、セルホルダ５０との間の寸法差を埋めることができる。ここで、この電池パック１０によれば、前側押圧リブ５４１をセルホルダ５０とは別部材とせずに一体に成形されることによりセルホルダ５０に設けてある。このようにして、この電池パック１０によれば、部品点数を増やすことなく、ケース１１の内部にセルホルダ５０が組み付けられた後のケース１１に対するセルホルダ５０のガタつきを抑えることができる。また、上記した電池パック１０によれば、前側押圧リブ５４１は、セルホルダ５０のケース１１の内部への組付けが完了する直前から前記寸法差を埋めるように作用するので、ケース１１の内部にセルホルダ５０が組み付けられる直前までは寸法差を埋めるようには作用しない。これによって、ケース１１の内部にセルホルダ５０が組み付けられるまで組み付けるためのクリアランスを十分に確保することができて、ケース１１の内部へのセルホルダ５０の組付け性を良好に保つことができる。また、前側押圧リブ５４１は、セルホルダ５０のケース１１の内部への組付けが完了した際には寸法差を完全に埋めるように作用するので、セルホルダ５０の組付けが完了した際には、組み付けるためのクリアランスを完全に埋めることができてケース１１に対するセルホルダ５０のガタつきを抑えることができる。したがって、ケース１１の内部へのセルホルダ５０の組付け性を良好に保ちながら、ケース１１の内部にセルホルダ５０が組み付けられた後のケース１１に対するセルホルダ５０のガタつきを抑えることができる。また、上記した電池パック１０によれば、前側押圧リブ５４１は、セルホルダ５０がケース１１の内部に組み付けられる組付け方向の基端側の縁に設けられているので、ケース１１の内部へのセルホルダ５０の組付けが完了するまで前側押圧リブ５４１が邪魔になることがない。これによって、ケース１１の内部にセルホルダ５０が組み付けられるまで組み付けるためのクリアランスを十分に確保することができて、ケース１１の内部へのセルホルダ５０の組付け性を良好に保つことができる。また、上記した電池パック１０によれば、前側押圧リブ５４１はセルホルダ５０と一体に成形されることによりセルホルダ５０に設けられているので、前側押圧リブ５４１を簡単に設けることができる。また、上記した電池パック１０によれば、前側押圧リブ５４１は電池セル３３の延在軸線方向に直交する方向に沿った前側端に設けられているので、この前側に押し当て力を生じさせることによりケース１１の内部との間の寸法差を埋めることができ、後側をセルホルダ５０が固定される基準面として設定することができる。これによって、ケース１１の内部に組み付けられるセルホルダ５０の位置を決めることができて精度の高く生産することができる。
【００３５】
［第２の実施の形態］
次に、本発明に係る電動工具用電池パックを実施するための第２の実施の形態となる電池パック１０Ａについて図１９〜図２２を参照しながら説明する。なお、以下に説明する第２〜第４の実施の形態の電池パック１０Ａ〜１０Ｃにあっては、上記した第１の実施の形態の電池パック１０のセルホルダ５０の構成を一部変形させた変形例となっている。このため、以下に説明する第２〜第４の実施の形態の電池パック１０Ａ〜１０Ｃについては、このセルホルダ５０Ａ〜Ｃのうち上記したセルホルダ５０と相違して構成される部分について重点的に説明する。つまり、以下に説明する第２〜第４の実施の形態の電池パック１０Ａ〜１０Ｃにあっては、上記した第１の実施の形態の電池パック１０と同一に構成される部分については、図面に上記した第１の実施の形態の電池パック１０と同一の符号を付して、その説明を省略するものとする。図１９は、第２の実施の形態の電池本体３０Ａの下側斜視を示す斜視図である。図２０は、第２の実施の形態となる電池パック１０Ａを中心前後方向で切った断面を示す断面図である。図２１は、図１９のセルホルダ５０Ａの右側面図である。図２２は、図１９のセルホルダ５０Ａの左側面図である。
図１９〜図２２に示すように、この第２の実施の形態のセルホルダ５０Ａは、第１の実施の形態のセルホルダ５０と比較して、支持湾曲部６５Ａ，６６Ａの湾曲形状が相違するものとなっている。すなわち、この第２の実施の形態の支持湾曲部６５Ａ，６６Ａの湾曲形状は、下側に更に突き出されるように形成されている。具体的には、この支持湾曲部６５Ａ，６６Ａは、当接湾曲部６４の端部から略１８０度で切り返されるにあたって、より深く円弧を描きながら形成されるものとなっている。また、この支持湾曲部６５Ａ，６６Ａは、下側ケース１２の内面となる内部底面１２１に着座するまで下側深くまで円弧を描いている。このように形成される支持湾曲部６５Ａ，６６Ａは、上記した第１の実施の形態の延在脚部６７のような機能を発揮する。
【００３６】
また、この支持湾曲部６５Ａ，６６Ａは、下側ケース１２の内部底面１２１に着座するまで下側深くまで円弧を描いている。このため、この支持湾曲部６５Ａ，６６Ａが撓む際の撓み限界量は、上記した第１の実施の形態の支持湾曲部６５，６６が撓む際の撓み限界量よりも大きく設定されることとなっている。つまり、下側ケース１２の内部底面１２１に着座される支持湾曲部６５Ａ，６６Ａは、この下側ケース１２からの支持力を受けることによって、セルホルダ５０自体が弾性支持されるものとなっている。このため、このセル保持部６３の一部をなす支持湾曲部６５Ａ，６６Ａは、本発明に係る延在部に相当し、この支持湾曲部６５Ａ，６６Ａの弾性復元は、この湾曲された形状を有する支持湾曲部６５Ａ，６６Ａの撓み戻しによるものとなっている。すなわち、支持湾曲部６５Ａ，６６Ａがセルホルダ５０に力が加わって撓むような場合でも、この支持湾曲部６５Ａ，６６Ａの弾性復元力によりセルホルダ５０は元の状態に戻され易くなっている。つまり、セルホルダ５０は、この支持湾曲部６５Ａ，６６Ａによる弾性復元作用を利用して、下側ケース１２の内部底面１２１から弾性支持されるようになっている。
この電池パック１０Ａによれば、本発明に係る延在部としてセル保持部６３の支持湾曲部６５Ａ，６６Ａが設けられているので、このような延在部を設けるにあたって別の成形部分を加える必要が無くなり、セルホルダ５０の成形の簡単化を図ることができる。また、この支持湾曲部６５Ａ，６６Ａの弾性復元は、撓み戻しによるものとなっているので、支持湾曲部６５Ａ，６６Ａの成形された形状により弾性を得ることができる。これによって、本発明に係る延在部として機能する支持湾曲部６５Ａ，６６Ａをできるだけ簡単にセルホルダ５０に設けることができる。また、このように形成される支持湾曲部６５Ａ，６６Ａは、もちろん、上記した第１の実施の形態の支持湾曲部６５，６６と同様に、当接湾曲部６４を弾性支持することができつつ、セルホルダ５０Ａ自体も弾性支持することができる。
【００３７】
［第３の実施の形態］
次に、本発明に係る電動工具用電池パックを実施するための第３の実施の形態となる電池パック１０Ｂについて図２３〜図２８を参照しながら説明する。図２３は、第３の実施の形態となる電池本体３０Ｂの上側斜視を示す斜視図である。図２４は、図２３の電池本体３０Ｂの下側斜視を示す斜視図である。図２５は、第３の実施の形態となる電池パック１０Ｂを中心前後方向で切った断面を示す断面図である。図２６は、第３の実施の形態となる電池パック１０Ｂを中心左右方向で切った断面を示す断面図である。図２７は、図２３のセルホルダ５０Ｂの右側面図である。図２８は、図２３のセルホルダ５０Ｂの左側面図である。
図２３〜図２８に示すように、この第３の実施の形態のセルホルダ５０Ｂは、第１の実施の形態のセルホルダ５０と比較して、本発明に係る寸法差介在部材の配設構造が相違するものとなっている。すなわち、第１の実施の形態における寸法差介在部材とては、セルホルダ５０に対して前側の一方向だけとなる前側押圧リブ５４１だけが設けられていた。これに対して、第２の実施の形態における寸法差介在部材とては、セルホルダ５０に対して前側後側右側左側の四方向となる箇所に設けられている。すなわち、この第３の実施の形態のセルホルダ５０Ｂにあっては、前側壁部５４に上記した第１の実施の形態と同様の前側押圧リブ５４１が設けられている。また、この前側押圧リブ５４１と同様に、後側壁部５５にも後側押圧リブ５５１が設けられている。またさらに、この前側押圧リブ５４１と同様に、右側壁部５６にも右側押圧リブ５６３が設けられており、左側壁部５７にも左側押圧リブ５７３が設けられている。このように設けられる後側押圧リブ５５１、右側押圧リブ５６３、左側押圧リブ５７３は、上記した前側押圧リブ５４１と略同様の機能を奏するものとなっている。すなわち、これら前側押圧リブ５４１、後側押圧リブ５５１、右側押圧リブ５６３、左側押圧リブ５７３は、セルホルダ５０Ｂとケース１１の内部との間の寸法差を埋めることができる。
【００３８】
なお、このように設けられる押圧リブ５４１，５５１，５６３，５７３は、セルホルダ５０Ｂの各壁部５４，５５，５６，５７の一部を切り欠くことにより設定されるものであってもよい。このような場合には、セルホルダ５０に簡単に押圧リブ５４１，５５１，５６３，５７３を設けることができる。また、このように設けられる押圧リブ５４１，５５１，５６３，５７３のセルホルダ５０のケース１１の内部への組付けが完了した際には、自身の弾性によって寸法差を埋めるように作用させるように構成してもよい、このような作用を有する場合には、セルホルダ５０Ｂの組付けが完了した際には、組み付けるためのクリアランスを完全に埋めることができてケース１１に対するセルホルダ５０Ｂのガタつきを抑えることができる。したがって、ケース１１の内部へのセルホルダ５０Ｂの組付け性を良好に保ちながら、ケース１１の内部にセルホルダ５０Ｂが組み付けられた後のケース１１に対するセルホルダ５０Ｂのガタつきを抑えることができる。
【００３９】
［第４の実施の形態］
次に、本発明に係る電動工具用電池パックを実施するための第４の実施の形態となる電池パック１０Ｃについて図２９〜図３５を参照しながら説明する。図２９は、第４の実施の形態となる電池本体３０Ｃの上側斜視を示す斜視図である。図３０は、図２９の電池本体３０Ｃの下側斜視を示す斜視図である。図３１は、第４の実施の形態となる電池パック１０Ｃを中心前後方向で切った断面を示す断面図である。図３２は、図２９のセルホルダ５０Ｃの上面図である。図３３は、図２９のセルホルダ５０Ｃの右側面図である。図３４は、図２９のセルホルダ５０Ｃの左側面図である。図３５は、図２９のセルホルダ５０Ｃの下面図である。
図２９〜図３５に示すように、この第４の実施の形態のセルホルダ５０Ｃは、第１の実施の形態のセルホルダ５０と比較して、第１の実施の形態の延在脚部６７の半分が可撓脚部６８に置換されている点で相違するものとなっている。例えば図３５に示すように、右側延在脚部６７１にあっては、前側壁部５４に連接される部分（図示符号６８０）と、第２セル収容部６０２と第３セル収容部６０３との間に設けられる部分（図示符号６８１）と、第３セル収容部６０３と第４セル収容部６０４との間に設けられる部分（図示符号６８２）と、後側壁部５５に連接される部分（図示符号６８３）とが、可撓脚部６８に置換されている。また、中側延在脚部６７２にあっては、第１セル収容部６０１と第２セル収容部６０２との間に設けられる部分（図示符号６８４）と、第４セル収容部６０４と第５セル収容部６０５との間に設けられる部分（図示符号６８５）とが、可撓脚部６８に置換されている。また、左側延在脚部６７３にあっては、右側延在脚部６７１と同様に、前側壁部５４に連接される部分（図示符号６８６）と、第２セル収容部６０２と第３セル収容部６０３との間に設けられる部分（図示符号６８７）と、第３セル収容部６０３と第４セル収容部６０４との間に設けられる部分（図示符号６８８）と、後側壁部５５に連接される部分（図示符号６８９）とが、可撓脚部６８に置換されている。
ところで、可撓脚部６８に置換されていない延在脚部６７が設けられる箇所は、第１の実施の形態の延在脚部６７と同一に形成されている。このため、セルホルダ５０からは、これまでの延在脚部６７と置換された可撓脚部６８とが、下側に突き出されるように設けられている。このように配置される可撓脚部６８は、図３５に示すように、左右方向で隣接配置されないように、左右で交互で配置されることとなっている。つまり、可撓脚部６８は、いわゆる千鳥配置されるように設定されている。
【００４０】
この可撓脚部６８は、延在脚部６７よりも下側に延ばすことにより形成されている。また、可撓脚部６８は、先端となる下端に向かうにしたがって先細となるように形成されている。この可撓脚部６９の先端となる下端には、いわゆる曲がり癖を着けるための曲げ癖部６９１，６９２が設けられている。この曲げ癖部６９１，６９２は、この可撓脚部６８の下端が曲げられるように押圧された場合に、この下端の曲がり方向（撓み方向）がガイドされるように形成される。具体的には、この曲げ癖部６９１，６９２は、前側あるいは後側に向けて緩やかに曲げられることにより形成されている。すなわち、曲げ癖部６９１，６９２は、前側曲げ癖部６９１と後側曲げ癖部６９２との２種類有している。
前側曲げ癖部６９１は、可撓脚部６８の下端の曲がり方向が前側に向くように形成されており、この下端の曲がり方向が前側に向くようにガイドされている。これに対して後側曲げ癖部６９２は、可撓脚部６８の下端の曲がり方向が後側に向くように形成されており、この下端の曲がり方向が後側に向くようにガイドされている。これらの曲げ癖部６９１，６９２は、前後方向での並列される可撓脚部６８同士については、互いに対向する方向で曲がるように設定されている。具体的には、可撓脚部６８のうち、符号６８０、符号６８２、符号６８４、符号６８６、符号６８８については、後側曲げ癖部６９２に設定されている。また、後側曲げ癖部６９２に設定される可撓脚部６８に対して後側に位置される可撓脚部６８（符号６８１、符号６８３、符号６８５、符号６８７、符号６８９）については、前側曲げ癖部６９１に設定されている。
このように形成された可撓脚部６８は、それぞれ対向して均等に前側曲げ癖部６９１と後側曲げ癖部６９２が設けられている。これによって、可撓脚部６８が曲がることによる反作用によりセルホルダ５０を動かしてしまう場合でも、これらの動かしてしまう力を打ち消し合うことができる。つまり、可撓脚部６８は、セルホルダ５０を動かさすに良好なクッション機能を設けることができる。なお、このように可撓脚部６８が設定される場合には、この可撓脚部６８に置換されなかった延在脚部６７については、電池セル３３の底着き防止の機能を有するようになっている。つまり、可撓脚部６８によりセルホルダ５０が上下動する場合、このセルホルダ５０の下端位置では、電池セル３３が下側ケース１２の内部底面１２１に着いてしまう前に、延在脚部６７の下端が下側ケース１２の内部底面１２１に着くようになっている。これにより、電池セル３３の底着きは防止される。
【００４１】
なお、本発明に係る電動工具用電池パックにあっては、上記した実施の形態に限定されるものではなく、次のように適宜個所を変更して構成するようにしてもよい。すなわち、上記した実施の形態にあっては、電池セルの個数が５個に設定されるものであったが、本発明に係る電池セルの個数としては、これに限定されることなく、適宜の個数が設けられるものであってもよい。また、このように配設される電池セルの個数に応じてリード板の配設数量も決められるものであってよい。
また、上記した実施の形態では、前側押圧リブ５４１は、セルホルダ５０を下側ケース１２の内部に組み付ける際の、セルホルダ５０の組付け方向の基端側の縁（基端側縁）に対して設けられるものであった。しかしながら、本発明に係る寸法差介在部材としては、セルホルダ５０の組付け方向の先端側の縁（先端側縁）に対して設けられるものであってもよく、ケース１１の内部にセルホルダ５０が組み付けられるまで組み付けるためのクリアランスを十分に確保することができつつ、ケース１１の内部へのセルホルダ５０の組付け性を良好に保つことができる配置位置であれば、適宜の位置に設けることができる。さらにいえば、本発明に係る寸法差介在部材としては、上記した実施の形態のようにセルホルダ５０に設けられる例に限定されることなく、ケース１１に対して設けられるものであってもよい。このおような場合であっても、ケース１１におけるセルホルダ５０の組付け方向の先端側の範囲や、ケース１１におけるセルホルダ５０の組付け方向の基端側の範囲等の、いずれの位置に設けられるものであってもよい。
また、上記した実施の形態では、充放電端子４４は、電池パック１０を電源として工具本体に装着する場合には放電用端子と機能し、電池パック１０を専用充電器に装着する場合には充電用端子と機能するものであった。つまり、充放電端子４４は、充電と放電との両方に用途において共用される端子となっていた。しかしながら、本発明に係る充放電端子にあっては、このような共用される端子の例に限定されることなく、別々の放電用端子と充電用端子として、個別の用途に区分けされた別個に構成されるものであってもよい。
【符号の説明】
【００４２】
１０  電池パック（電動工具用電池パック）
１１  ケース
１２  下側ケース
１２１  内部底面
１３  螺子孔
１４  排水孔
１５  支持リブ
１６  抑えリブ
１７１  前側内面
１７２  後側内面
１７３  右側内面
１７４  左側内面
１９  螺子部材
２１  上側ケース
２２  螺子ボス
２３１，２３２  スライドガイド部
２３３  凹み部
２４１  充放電端子用スリット
２４２  信号端子用スリット
２４３，２４４  ガイドスリット
２６１  フック用開口部
２６２  操作用開口部
３０  電池本体
３１  電池部
３３  電池セル
３３０  電池セルの外周面
３３１  第１電池セル
３３２  第２電池セル
３３３  第３電池セル
３３４  第４電池セル
３３５  第５電池セル
３４  プラス電極
３５  マイナス電極
３６  絶縁シート
３７  リード板（電極部材）
３７１  第１リード板
３７２  第２リード板
３７３  第３リード板
３７４  第４リード板
３７５  第５リード板
３７６  第６リード板
３８  緩衝マット
４１  制御部
４２  回路基板
４４  充放電端子
４２１  回路基板の前側端縁
４２２  回路基板の後側端縁
４４１  プラス接続用端子
４４２  マイナス接続用端子
４６  信号端子
４６１  第１信号端子
４６２  第２信号端子
４６３  第３信号端子
４６４  第４信号端子
５０  セルホルダ
５１  外縁体
５２  基板合体部
５２１  前側係止フック
５２２  後側係止フック
５３  内面当接部
５４  前側壁部
５４１  前側押圧リブ（寸法差介在部材）
５５  後側壁部
５６  右側壁部
５６１  隙間部
５７  左側壁部
５７１  隙間部
６０  セル収容部
６０１  第１セル収容部
６０２  第２セル収容部
６０３  第３セル収容部
６０４  第４セル収容部
６０５  第５セル収容部
６１  収容区画部（ガイド部）
６１１  側面収容区画部
６１２  上面収容区画部
６２  開口閉塞部
６２１  第１開口閉塞部
６２２  第２開口閉塞部
６２３  第３開口閉塞部
６２４  第４開口閉塞部
６２５  第５開口閉塞部
６３  セル保持部
６３１  右側セル保持部
６３２  左側セル保持部
６４  当接湾曲部
６５，６６  支持湾曲部
６７  延在脚部（延在部）
６７１  右側延在脚部
６７２  中側延在脚部
６７３  左側延在脚部
７０  雄フック機構
７１  フック形構造体
７２  フック部
７３  操作部
【図１】
2014203660.tif 000003
【図２】
2014203660.tif 000004
【図３】
2014203660.tif 000005
【図４】
2014203660.tif 000006
【図５】
2014203660.tif 000007
【図６】
2014203660.tif 000008
【図７】
2014203660.tif 000009
【図８】
2014203660.tif 000010
【図９】
2014203660.tif 000011
【図１０】
2014203660.tif 000012
【図１１】
2014203660.tif 000013
【図１２】
2014203660.tif 000014
【図１３】
2014203660.tif 000015
【図１４】
2014203660.tif 000016
【図１５】
2014203660.tif 000017
【図１６】
2014203660.tif 000018
【図１７】
2014203660.tif 000019
【図１８】
2014203660.tif 000020
【図１９】
2014203660.tif 000021
【図２０】
2014203660.tif 000022
【図２１】
2014203660.tif 000023
【図２２】
2014203660.tif 000024
【図２３】
2014203660.tif 000025
【図２４】
2014203660.tif 000026
【図２５】
2014203660.tif 000027
【図２６】
2014203660.tif 000028
【図２７】
2014203660.tif 000029
【図２８】
2014203660.tif 000030
【図２９】
2014203660.tif 000031
【図３０】
2014203660.tif 000032
【図３１】
2014203660.tif 000033
【図３２】
2014203660.tif 000034
【図３３】
2014203660.tif 000035
【図３４】
2014203660.tif 000036
【図３５】
2014203660.tif 000037